(57)【特許請求の範囲】
【請求項１】
内部を加圧することのできる処理槽、処理槽内への蒸気供給を制御する蒸気供給制御手段、処理槽内からの蒸気排出を制御する排気制御弁、処理槽内の温度又は圧力に基づき前記蒸気供給制御手段及び排気制御弁の作動を制御する運転制御装置を持ち、処理槽内に固形の具材と液体の煮汁からなる煮物用食材を収容し、処理槽内に飽和蒸気を導入することによって食材の加熱を行う蒸煮装置であって、処理槽内を所定の蒸煮温度に維持することで食材を加熱調理している蒸煮工程時に、処理槽内の圧力を蒸煮温度における飽和蒸気圧力よりも一時的に低くすることで、食材内を沸騰させて食材を撹拌する減圧撹拌操作を行うことができるようにしている蒸煮装置において、処理槽内の食材温度を検出する品温センサを設けておき、運転制御装置は減圧撹拌操作時に品温センサにて検出している食材温度の変化を検出することで食材内での沸騰が発生したことを検出し、減圧の終了時期を検出するものであることを特徴とする蒸煮装置。
【発明の詳細な説明】
【技術分野】
【０００１】
本発明は、処理槽内に収容した煮汁と煮物用の具材を飽和蒸気によって加熱することで煮物調理を行う蒸煮装置に関するものである。
【背景技術】
【０００２】
処理槽内に食材を収容しておき、処理槽内に飽和蒸気を供給することで食材を加熱する蒸煮装置がある。この蒸煮装置に煮汁と煮物用の具材を収容して加熱すると、煮物の調理をすることができる。しかしこの蒸煮装置は、処理槽内を密閉して蒸気を供給するようにしているため、食材の撹拌を行いにくいという問題があった。そこで特許４５８１８４６号公報にて処理槽内の圧力を変更することよって撹拌を行うことが提案されている。飽和蒸気で満たされている処理槽内から蒸気を排出し、処理槽内の圧力を低下させると、食材部分の飽和蒸気圧力は処理槽内の飽和蒸気圧力より高いことになる。その場合、煮汁部分では激しく沸騰することになり、そのことによって食材の撹拌を行うことができる。この発明を使用すると、撹拌装置のない蒸煮装置であっても煮物調理中に撹拌を行うことができるようになるが、撹拌の強さを調節することはできず、撹拌が過剰に行われていたり、逆に撹拌が全く行われていなかったとしてもそのことを検出することはできないという問題があった。
【先行技術文献】
【特許文献】
【０００３】
【特許文献１】特許４５８１８４６号公報
【発明の概要】
【発明が解決しようとする課題】
【０００４】
本発明が解決しようとする課題は、処理槽内に収容した煮汁と煮物用の具材を飽和蒸気によって加熱するようにしている蒸煮装置において、撹拌の状況を検出し適正な撹拌を確実に行うことができるようにした蒸煮装置を提供することにある。
【課題を解決するための手段】
【０００５】
内部を加圧することのできる処理槽、処理槽内への蒸気供給を制御する蒸気供給制御手段、処理槽内からの蒸気排出を制御する排気制御弁、処理槽内の温度又は圧力に基づき前記蒸気供給制御手段及び排気制御弁の作動を制御する運転制御装置を持ち、処理槽内に固形の具材と液体の煮汁からなる煮物用食材を収容し、処理槽内に飽和蒸気を導入することによって食材の加熱を行う蒸煮装置であって、処理槽内を所定の蒸煮温度に維持することで食材を加熱調理している蒸煮工程時に、処理槽内の圧力を蒸煮温度における飽和蒸気圧力よりも一時的に低くすることで、食材内を沸騰させて食材を撹拌する減圧撹拌操作を行うことができるようにしている蒸煮装置において、処理槽内の食材温度を検出する品温センサを設けておき、運転制御装置は減圧撹拌操作時に品温センサにて検出している食材温度の変化を検出することで食材内での沸騰が発生したことを検出し、減圧の終了時期を検出する。
【発明の効果】
【０００６】
食材の撹拌が行われていない状態では、食材には温度のばらつきが発生する。しかし、食材内で沸騰が発生して食材内での撹拌が行われると、食材内での温度のばらつきはなくなって温度が均一化し、そのために品温センサにて検出している食材温度は変化する。この時の温度変化は比較的急なものであるため、食材の温度を検出しておけば沸騰発生の有無を検出することができる。沸騰の発生を検出して減圧の終了時期を判断するようにしておけば、食材の撹拌が行われなかったり、逆に撹拌が過剰になるといったことを防ぎ、適正な撹拌を確実に行うことができる。
【図面の簡単な説明】
【０００７】
【図１】本発明の一実施例での蒸煮装置のフロー図
【図２】本発明の一実施例での処理槽内温度と圧力変化の説明図
【図３】本発明の一実施例での食材内温度変化の説明図
【発明を実施するための形態】
【０００８】
本発明の一実施例を図面を用いて説明する。図１は本発明を実施している蒸煮装置のフローを示したものである。蒸煮装置は横置きにした円筒形の処理槽１内に食材５を収容し、処理槽１内へ蒸気を導入することによって食材５を加熱調理するようにしている。処理槽１の一方の側面には扉２を設けておき、扉２を開くことで処理槽１内への食材５の出し入れを行い、扉２を閉じることで処理槽１内を密閉する。食材５は食材容器４に入れた状態で台車３に乗せ置き、台車３を処理槽１内の奥まで押し込むことで処理槽１内へ収容する。処理槽１の底部には、処理槽１内へ蒸気を供給するための蒸気供給経路６を接続しており、蒸気供給経路６の途中には処理槽１へ供給する蒸気量を制御するための蒸気供給制御手段７を設ける。蒸気供給制御手段７は蒸気供給量を増減することができるものが好ましく、例えば口径が異なった複数個の弁を組み合わせるなどによって蒸気供給量を調節することができる。また、処理槽１の底部には処理槽１内から水を排出する排水経路１０を設け、蒸気供給経路６は排水経路１０とも接続しておく。蒸気は凝縮することで液体に戻るために排水経路１０を設けておくが、加熱調理中は排水経路１０を閉じておくことで蒸気が排水経路１０から漏れ出ないようにしておく。
【０００９】
処理槽１の上部には、処理槽１内の空気や蒸気を排出するための排気経路８を接続しておき、排気経路８の途中には排気制御弁９を設ける。処理槽１内への蒸気供給や処理槽１内を減圧する動作の制御は、運転制御装置１３によって行う。運転制御装置１３は処理槽１内の圧力を検出する圧力検出装置１１を通じて処理槽１内の圧力を検出し、処理槽１内の温度を検出する温度検出装置１２を通じて処理槽１内の温度を検出するようにしており、処理槽１内の圧力及び温度に基づいて蒸気の供給や排出を行う。また食材５の温度を検出するための品温センサ１４を設け、品温センサ１４で検出した温度も運転制御装置１３へ送るようにしておき、運転制御装置１３では品温センサ１４にて検出した食材温度に基づいて撹拌の終了時期を検出する。
【００１０】
蒸煮の工程について説明する。本実施例で蒸煮する食材は、固形の具材と液体の煮汁を加熱調理する煮物であり、食材容器４内に具材と煮汁からなる食材を入れる。食材を入れた食材容器４は台車３に乗せておき、処理槽１の扉２を開いて台車３ごと処理槽１内へ収容する。台車３の収容後、扉２を閉じて処理槽１内を密閉する。扉２はクラッチリングによって固定し、処理槽１内の圧力が上昇しても扉は開かないようにしておく。処理槽１内の温度を上昇させる昇温工程では、最初は排気制御弁９を開いた状態で蒸気供給制御手段７を開き、蒸気の供給を行う。当初の処理槽１内は空気が充満しており、空気があると食材５の加熱に障害となるため、蒸気を供給しながら排気経路８を通して排気を行うことによって処理槽１内の空気を蒸気で置き換える。温度検出装置１２で検出している処理槽１内温度が排気停止用の所定温度まで上昇すると、運転制御装置１３は排気制御弁９は閉じ、蒸気はさらに供給することで処理槽１内の温度及び圧力を高める。密閉状態の処理槽１内に蒸気を供給することで処理槽１内の温度と圧力は上昇し、処理槽１内の温度が蒸煮温度（例えば１２０℃）に到達すると昇温工程から蒸煮工程に移り、運転制御装置１３は蒸煮温度を維持するように蒸気供給を行う。
【００１１】
通常の蒸煮では、所定の蒸煮時間が経過するまでは蒸煮温度を維持する。そして、蒸煮時間が終了すると、蒸気の供給は停止し、処理槽１内の蒸気を排出して処理槽１内が大気圧まで戻った後で扉２を開き、調理の終了した食材を処理槽１内から取り出す。しかし本発明では、蒸煮工程の途中で処理槽１内圧力を変化させることによって煮汁を沸騰させ、食材の撹拌を行うようにしている。
【００１２】
図２は蒸煮工程中に減圧撹拌操作を行った場合の処理槽内の温度及び圧力変化状況を示した説明図、図３は蒸煮工程中に減圧撹拌操作を行った場合の食材内の温度変化状況を示した説明図である。運転制御装置１３は蒸煮工程に入ってからの経過時間を計測しておく。減圧撹拌操作を行うための所定の時間（例えば５分間）が経過するまでは温度検出装置１２が検出する処理槽１内の温度を蒸煮温度の１２０℃に保つように蒸気供給制御手段７の制御を行う。所定時間が経過すると減圧撹拌の操作を開始する。減圧撹拌の工程に入ると、運転制御装置１３は、蒸煮温度における飽和蒸気圧力値よりも低い値に設定した減圧撹拌時の下限圧力値（例えば０．０７MPa）に向けて減圧するため、排気制御弁９の操作を行う。蒸煮温度が１２０℃場合、１２０℃の飽和蒸気圧力値は０．１０MPaであるため、蒸煮時の処理槽１内圧力は０．１０MPaとなっている。この状態で排気制御弁９を開くと、処理槽１内の蒸気は排気経路８を通して排出され、処理槽１内の圧力は低下していく。
【００１３】
処理槽１内から蒸気を排出していくと、処理槽１内の圧力及び温度は短時間で低下するが、食材５の温度変化は処理槽内圧力変化よりも遅いために温度差が生じる。
食材５の温度から定まる食材部の飽和蒸気圧力が、処理槽１内の温度から定まる処理槽内の飽和蒸気圧力より高いと、食材の内部で沸騰が発生する。沸騰が発生すれば、食材内では気泡の上昇による撹拌が発生し、食材の撹拌によって品温センサ１４で検出してる部分の食材温度は変化する。
【００１４】
図３では減圧撹拌前の処理槽内及び食材の温度、減圧撹拌中の処理槽内及び食材の温度、減圧撹拌後の処理槽内及び食材の温度を順に記載している。撹拌が行われていない状態では食材内部で温度むらが発生することがあり、図では食材の上部は１２０．０℃であるが食材の下部では１１９．６℃となっている。品温センサ１４の温度検出部での温度が１２０．０℃であれば、運転制御装置１３では食材温度は１２０．０℃であると認識する。
【００１５】
この状態で処理槽内から蒸気を排出し、処理槽内の圧力を０．０８MPaまで低下させた場合、処理槽１内の温度は０．０８MPa時の飽和温度である１１６℃になる。しかし、食材部分での温度変化は処理槽内の蒸気部よりも遅くなる。そのため、食材部分の温度は処理槽内温度の１１６℃よりも高いことになり、食材部分での飽和蒸気圧力が処理槽１内の飽和蒸気圧力よりも高くなると、食材内部では沸騰が発生し、この沸騰によって食材部分の撹拌が行われる。食材内での沸騰が発生して食材の撹拌が行われると、食材の温度は均一化するため、この段階では食材上部の温度は１１９．８℃となっている。運転制御装置１３では、品温センサ１４で計測している食材５の温度を監視しておき、食材５の温度の変化を検出することで減圧撹拌の終了時期を検出する。撹拌による食材温度変化は短時間で急激に変化するため、運転制御装置１３では食材温度の変化を検出することで食材内での沸騰が発生したことを検出でき、処理槽１内の減圧操作を終了する。運転制御装置１３はその後、温度検出装置１２で検出している処理槽内温度が蒸煮温度（１２０℃）となるように、蒸気供給制御手段７の操作を行って処理槽１内へ蒸気を供給し、蒸煮温度まで温度を上昇する。
【００１６】
なお、バックアップとして圧力検出装置１１にて検出している処理槽内圧力値に基づいてでも減圧操作は終了するようにしておく。品温センサ１４が食材温度を正確に検出できなかったなどによって減圧操作の終了を検出できなかったとしても、圧力検出装置１１で検出している処理槽圧力が減圧撹拌時の下限圧力値（０．０７MPa）まで低下した場合には減圧操作を終了する。
【００１７】
その後、この実施例では蒸煮工程中にさらにもう一度減圧撹拌操作を行っている。蒸煮工程中に複数回撹拌を行うようにしておくと、一回当たりの撹拌量を小さくすることができ、食材への煮汁の浸透性も向上する。減圧撹拌操作の動作は既に記載した通りであるためここでの説明は省略する。蒸煮工程を終了すると、運転制御装置１３は処理槽１内の蒸気を排出する減圧／排気工程を行い、排気経路８を通して蒸気を排出することで処理槽１内を減圧する。処理槽１内が大気圧まで戻ると、扉２を開いて煮物調理を終了した食材を処理槽１内から取り出すことで、すべての工程を終了する。
【００１８】
以上の工程を行うことで、密閉した処理槽１内の食材を撹拌することができる。減圧撹拌時の減圧幅が大きくなり、沸騰による撹拌が激しくなりすぎることによって食材の形が過度に崩れることになると、商品価値が低下することになる。しかし、食材温度を監視しておいて沸騰が始まったことを検出すると減圧を終了するようにすれば、撹拌が過度になることを防ぐことができる。また、食材の沸騰検出から減圧停止までの時間を調節することによって、撹拌強度を調節することもできる。強く撹拌した方がよい食材であれば、沸騰開始の検出から減圧停止までの時間を長くすることで撹拌を強めることができ、遅延時間の調節によって撹拌の強度を調節することができる。
【符号の説明】
【００１９】
１  処理槽  
２  扉    
３  台車
４  食材容器
５  食材
６  蒸気供給経路
７  蒸気供給制御手段
８  排気経路
９  排気制御弁
１０  排水経路
１１  圧力検出装置
１２  温度検出装置
１３  運転制御装置  
１４  品温センサ                              
【図１】
0005754839.tif 000002
【図２】
0005754839.tif 000003
【図３】
0005754839.tif 000004